(57)【要約】【課題】  通常点灯時において定電力で放電灯を点灯制御する常用点灯装置を非常点灯時に共用し、非常点灯時に放電灯の光束低下を防止できるとともに非常点灯を長くすることができる放電灯点灯装置を提供することである。【解決手段】  通常時には、交流電源を整流して直流を得る整流器１３で得られた直流電圧を昇圧回路１４で昇圧し、インバータ回路１５は昇圧された電圧を高周波電圧に変換し放電灯１７を高周波点灯する。非常用電源充電回路１８は整流器１３で得られた直流電力を非常用電源２１に充電する。非常用電源昇圧回路２２は、非常時に非常用電源２１の電圧を昇圧する。点灯制御部２７は、通常時は昇圧回路１４で昇圧された電圧を高周波電圧に変換し、定電力で放電灯を高周波点灯する通常点灯動作を行い、非常時には非常用電源昇圧回路２２からの電圧を高周波電圧に変換し、定電力で放電灯１７を調光点灯する非常点灯動作を行う。【選択図】  図１
2007059148.tif 000002
【特許請求の範囲】
【請求項１】
通常時は交流電源を整流して得られた直流を高周波変換し放電灯を高周波点灯する常用点灯装置と、通常時は交流電源を整流して非常用電源を充電するとともに非常時は非常用電源を電源として放電灯を非常点灯させる非常用点灯装置とを一体的に形成した放電灯点灯装置であって、
前記交流電源を整流して直流を得る整流器と；
前記整流器で得られた直流電圧を昇圧する昇圧回路と；
前記昇圧回路で昇圧された電圧を高周波電圧に変換し放電灯を高周波点灯するインバータ回路と；
前記整流器で得られた直流電力を非常用電源に充電する非常用電源充電回路と；
前記非常時に前記非常用電源の電圧を昇圧する非常用電源昇圧回路と；
通常時は前記昇圧回路で昇圧された前記整流器からの直流電圧を高周波電圧に変換し定電力で放電灯を高周波点灯する通常点灯動作を行い、非常時には前記非常用電源昇圧回路からの電圧を高周波電圧に変換し定電力で放電灯を調光点灯する非常点灯動作を行う点灯制御部と；
を備えたことを特徴とする放電灯点灯装置。
【請求項２】
通常時は交流電源を整流して得られた直流を高周波変換し放電灯を高周波点灯する常用点灯装置と、通常時は交流電源を整流して非常用電源を充電するとともに非常時は非常用電源を電源として放電灯を非常点灯させる非常用点灯装置とを一体的に形成した放電灯点灯装置であって、
前記交流電源を整流して直流を得る整流器と；
前記整流器で得られた直流電圧を昇圧する昇圧回路と；
前記昇圧回路で昇圧された電圧を高周波電圧に変換し放電灯を高周波点灯するインバータ回路と；
前記整流器で得られた直流電力を非常用電源に充電する非常用電源充電回路と；
前記非常時に前記非常用電源の電圧を昇圧する非常用電源昇圧回路と；
通常時は前記昇圧回路で昇圧された前記整流器からの直流電圧を高周波電圧に変換し定電力で放電灯を高周波点灯する通常点灯動作を行い、非常時には前記非常用電源昇圧回路からの電圧を高周波電圧に変換し定電流で放電灯を調光点灯する非常点灯動作を行う点灯制御部と；
を備えたことを特徴とする放電灯点灯装置。
【請求項３】
前記点灯制御部は、放電灯の温度または周囲温度が所定温度以下では定電力で放電灯を高周波点灯し、所定温度を超えると定電流で放電灯を点灯する非常点灯動作を行うことを特徴とする請求項１または２記載の放電灯点灯装置。
【請求項４】
前記点灯制御部は、放電灯の温度が所定温度を超えたか否かを放電灯のランプ電圧で判定することを特徴とする請求項３記載の放電灯点灯装置。
【発明の詳細な説明】
【技術分野】
【０００１】
本発明は、通常時は交流電源で放電灯を点灯させる常用点灯装置と、交流電源の停電時には非常用電源で放電灯を点灯させる非常用点灯装置とを一体的に形成した放電灯点灯装置に関する。
【背景技術】
【０００２】
通常時においては放電灯を常用点灯装置で点灯しつつ非常用電源に充電し、商用の交流電源が停電となった場合には、非常用点灯装置で非常用電源からの電源により放電灯を非常灯として点灯させる照明器具がある。このような照明器具では、常用点灯装置と非常用点灯装置とを照明器具内に別々に搭載している。常用点灯装置および非常用点灯装置が個別に装備されているので、構成部品の中に重複するものが多く、部品コストの上昇を招くと共に器具組立にも手数がかかる。そこで、常用点灯装置および非常用点灯装置の構成部品の重複するものを少なくし、部品コストを低減するできるようにしたものがある（特許文献１参照）。
【特許文献１】特開２００５−３８７５４号公報
【発明の開示】
【発明が解決しようとする課題】
【０００３】
しかし、常用点灯装置と非常用点灯装置との構成分品の重複を避けるにあたっては、常用点灯装置や非常用点灯装置の機能を損なわないようにしなければならない。例えば、常用点灯装置のインバータ回路を共用して、通常時および非常時において放電灯を点灯させる場合、単にインバータ回路を共用しただけでは非常時の非常点灯動作を適切に行うことができない。例えば、非常時においては非常用電源から放電灯に電力が供給されるが、非常用電源の電圧が低下した場合には放電灯の光束が低下し、規格化されている所定照度を所定時間内に維持することができない虞がある。また、非常点灯時において放電灯が高温になった場合には放電灯が消灯することがある。
【０００４】
本発明の目的は、通常点灯時において定電力で放電灯を点灯制御する常用点灯装置を非常点灯時に共用し、非常点灯時に放電灯の光束低下を防止できるとともに非常点灯を長くすることができる放電灯点灯装置を提供することである。
【課題を解決するための手段】
【０００５】
請求項１の発明に係わる放電灯点灯装置は、通常時は交流電源を整流して得られた直流を高周波変換し放電灯を高周波点灯する常用点灯装置と、通常時は交流電源を整流して非常用電源を充電するとともに非常時は非常用電源を電源として放電灯を非常点灯させる非常用点灯装置とを一体的に形成した放電灯点灯装置であって、前記交流電源を整流して直流を得る整流器と；前記整流器で得られた直流電圧を昇圧する昇圧回路と；前記昇圧回路で昇圧された電圧を高周波電圧に変換し放電灯を高周波点灯するインバータ回路と；前記整流器で得られた直流電力を非常用電源に充電する非常用電源充電回路と；前記非常時に前記非常用電源の電圧を昇圧する非常用電源昇圧回路と；通常時は前記昇圧回路で昇圧された前記整流器からの直流電圧を高周波電圧に変換し定電力で放電灯を高周波点灯する通常点灯動作を行い、非常時には前記非常用電源昇圧回路からの電圧を高周波電圧に変換し定電力で放電灯を調光点灯する非常点灯動作を行う点灯制御部と；を備えたことを特徴とする。
【０００６】
本発明および以下の発明において、特に指定しない限り用語の定義や技術的意味は以下による。放電灯点灯装置は、通常時は交流電源で放電灯を点灯させる常用点灯装置と、交流電源の停電時には非常用電源で放電灯を点灯させる非常用点灯装置とを、一部の構成回路を共用して一体的に形成したものである。
【０００７】
常用点灯装置は、少なくとも、交流電源を整流して直流を得る整流器と、整流器で得られた直流電圧を昇圧する昇圧回路と、昇圧回路で昇圧された電圧を高周波電圧に変換し放電灯を高周波点灯するインバータ回路とを有し、非常用点灯装置は、少なくとも、整流器で得られた直流電力を非常用電源に充電する非常用電源充電回路と、非常時に非常用電源の電圧を昇圧して昇圧回路の前段に出力する非常用電源昇圧回路とを有する。
【０００８】
常用点灯装置の整流器で得られた直流電力を非常用点灯装置の非常用電源に充電することから、非常用点灯装置では直流電力を得る整流器を共用している。また、非常時においてはインバータ回路を用いて非常点灯動作を行うことになり、インバータ回路を共用している。従って、回路構成を簡素化できる。
【０００９】
点灯制御部は、共用された常用点灯装置のインバータ回路を制御する。通常時の通常点灯動作は、昇圧回路で昇圧された整流器からの直流電圧を高周波電圧に変換し、定電力で放電灯を高周波点灯する。一方、非常時の非常点灯動作には、非常用電源昇圧回路からの電圧を必要に応じて昇圧回路で昇圧して高周波電圧に変換し定電力で放電灯を調光点灯する。非常時の調光制御機能は、例えば非常用電源昇圧回路の出力電圧をインバータ回路に出力する部分に設け、インバータ回路への印加電圧を調整することにより調光制御する。
【００１０】
請求項２の発明に係わる放電灯点灯装置は、通常時は交流電源を整流して得られた直流を高周波変換し放電灯を高周波点灯する常用点灯装置と、通常時は交流電源を整流して非常用電源を充電するとともに非常時は非常用電源を電源として放電灯を非常点灯させる非常用点灯装置とを一体的に形成した放電灯点灯装置であって、前記交流電源を整流して直流を得る整流器と；前記整流器で得られた直流電圧を昇圧する昇圧回路と；前記昇圧回路で昇圧された電圧を高周波電圧に変換し放電灯を高周波点灯するインバータ回路と；前記整流器で得られた直流電力を非常用電源に充電する非常用電源充電回路と；前記非常時に前記非常用電源の電圧を昇圧する非常用電源昇圧回路と；通常時は前記昇圧回路で昇圧された前記整流器からの直流電圧を高周波電圧に変換し定電力で放電灯を高周波点灯する通常点灯動作を行い、非常時には前記非常用電源昇圧回路からの電圧を高周波電圧に変換し定電流で放電灯を調光点灯する非常点灯動作を行う点灯制御部と；を備えたことを特徴とする。
【００１１】
本発明は、通常時は定電力で放電灯を高周波点灯する通常点灯動作を行い、非常時には前記非常用電源昇圧回路からの電圧を高周波電圧に変換し定電流で放電灯を調光点灯するようにしたものである。
【００１２】
一般に、放電灯の温度が１２０℃を超えるとランプ電圧は急激に上昇する。この場合、常用点灯装置が放電灯を定電力で点灯制御している場合には、ランプ電圧の上昇に伴いランプ電流が減少し、放電灯が立ち消えしてしまうことがある。例えば、周囲温度が所定温度以上となるとランプ電圧が所定電圧以上となり、ランプ電流が減少して放電灯が立ち消えしてしまう。このように、火事等で放電灯が高温となったときに、非常用電源から電源が供給されていても放電灯が消灯してしまうことがある。そこで、点灯制御部は、非常時には放電灯のランプ電流を一定に維持し、放電灯の温度が高温になっても放電灯が立ち消えとならないようにする。
【００１３】
請求項３の発明に係わる放電灯点灯装置は、請求項１または２の発明において、前記点灯制御部は、放電灯の温度または周囲温度が所定温度以下では定電力で放電灯を高周波点灯し、所定温度を超えると定電流で放電灯を点灯する非常点灯動作を行うことを特徴とする
本発明は、非常時には放電灯の温度を監視し、放電灯の温度が所定温度以下では定電力で放電灯を高周波点灯し、所定温度を超えると定電流で放電灯を点灯するようにしたものである。
【００１４】
定電力で放電灯を点灯制御する場合、放電灯の温度が上昇すると放電灯のランプ電圧が上昇しランプ電流が減少するが、放電灯の立ち消えが起こらない所定温度までは、定電力制御により放電灯を点灯制御する。これにより、放電灯の負荷特性が定電力特性となり、複数定格の放電灯についてインバータ回路を共用できる。そして、放電灯の立ち消えが起こると予想される所定温度以上となると、定電流により放電灯を点灯制御する。
【００１５】
請求項４の発明に係わる放電灯点灯装置は、請求項３の発明において、前記点灯制御部は、放電灯の温度が所定温度を超えたか否かを放電灯のランプ電圧で判定することを特徴とする。
【００１６】
放電灯の温度は放電灯のランプ電圧で表されることから、放電灯のランプ電圧を検出し、ランプ電圧を監視することにより放電灯の温度を判定するようにしたものである。
【発明の効果】
【００１７】
請求項１の発明によれば、放電灯を高周波点灯するインバータ回路を共用し、通常時は定電力で放電灯を高周波点灯し、非常時には定電力で放電灯を調光点灯するので、非常時において放電灯の光束が低下することがない。また、非常において調光制御するので放電灯の非常点灯を長くすることができる。
【００１８】
請求項２の発明によれば、放電灯を高周波点灯するインバータ回路を共用し、通常時は定電力で放電灯を高周波点灯し、非常時には定電流で放電灯を高周波点灯するので、放電灯が温度上昇しても非常用電源からの電源供給がある限りは放電灯の点灯を維持できる。
【００１９】
請求項３または４の発明によれば、通常時は定電力で放電灯を高周波点灯し、非常時には放電灯の温度が所定温度以下では定電力で放電灯を点灯し、所定温度を超えると定電流で放電灯を点灯するので、非常時に放電灯が消灯してしまうことがない。
【発明を実施するための最良の形態】
【００２０】
（第１の実施の形態）
図１は本発明の第１の実施の形態に係わる放電灯点灯装置の回路構成図である。交流電源１１は放電灯点灯装置の雑防回路１２を介して整流器１３に入力される。整流回路１３で整流された直流電圧は昇圧回路１４で昇圧され、インバータ回路１５に入力される。インバータ回路１５は昇圧回路１４で昇圧された電圧を高周波電圧に変換し、負荷回路１６の放電灯１７に供給し高周波点灯する。
【００２１】
一方、整流器１３で得られた直流は非常用電源充電回路１８に入力され、電源監視回路１９により交流電源１１が正常であるか否かが判定される。すなわち、整流器１３で整流され得られた直流電圧が正常であるか否かを判定することにより、交流電源１１が正常であるか否かが判定される。交流電源１１が正常であるときは充電回路２０は、整流器１３で得られた直流を非常用電源２１に充電する。また、非常用電源昇圧回路２２は交流電源１１の喪失等の非常時に非常用電源２１の電圧を昇圧して昇圧回路１４の前段に出力するように接続されている。
【００２２】
雑防回路１２、整流器１３、昇圧回路１４、インバータ回路１５、負荷回路１６により、放電灯１７の通常点灯動作を行う常用点灯装置を形成しており、雑防回路１２、整流器１３、非常用電源充電回路１８、非常用電源昇圧回路２２により、放電灯１７の非常点灯動作を行う非常用点灯装置を形成している。雑防回路１２および整流器１３は、常用点灯装置と非常用点灯装置とで共用している。また、非常用電源昇圧回路２２の出力を昇圧回路１４の前段に接続し、非常時においても、昇圧回路１４、インバータ回路１５、負荷回路１６を使用して放電灯１７を非常時点灯動作させる。従って、昇圧回路１４、インバータ回路１５、負荷回路１６も共用している。しかも、これらは一体的に形成されている。
【００２３】
なお、図１では放電灯１７が１個である場合について示しているが、放電灯が２個である２灯用の放電灯点灯装置にも適用できる。以下の説明では、放電灯１７が１個である１灯用の場合について説明する。
【００２４】
壁切りスイッチ部２３はスイッチ２４がオンしたときに導通するフォトダイオード２５を有し、フォトダイオード２５の導通によりフォトトランジスタ２６が動作し点灯制御部２７を動作させる。スイッチ２４をオフしたときはフォトダイオード２５が非導通となるので、フォトトランジスタ２６が不動作となり点灯制御部２７の通常点灯動作が停止する。なお、スイッチ２４がオフであったとしても、雑防回路１２および整流器１３は動作しており、整流回路１３は非常用電源充電回路１８に直流電圧を印加している。従って、スイッチ２４がオフで点灯制御部２７の通常点灯動作が停止状態であり、放電灯１９が消灯していても、非常用電源充電回路１８を動作させて非常用電源１９に充電をすることは可能であり、非常時はスイッチ２４がオフでも非常点灯を行える回路構成である。
【００２５】
次に、点灯制御部２７には、フォトトランジスタ２６の動作や不動作に加え、非常用電源充電回路１８の電源監視回路１９の出力信号も入力される。非常用電源充電回路１８の電源監視回路１９は、交流電源１１の電圧が正常範囲を逸脱したか否かを監視するとともに、交流電源１１の電圧が所定値以下か否かを監視し、非常点灯動作への切り替えが必要であるか否かを判定する。
【００２６】
昇圧回路１４は昇圧制御部２８によりスイッチ素子２９をオンオフ制御して入力電圧を昇圧する昇圧チョッパ回路であり、非常時調光回路３０を備えている。非常時調光回路３０のスイッチ素子Ｑ１は点灯制御部２７からの指令でオンオフ制御される。非常用電源昇圧回路２２は点灯制御部２７からの指令で動作する。
【００２７】
次に、点灯制御部２７は、壁切りスイッチ部２３のスイッチ２４がオンであり、交流電源１１の電圧が正常範囲内であるときは、非常時調光回路３０のスイッチ素子Ｑ１をオンするとともに、非常用電源昇圧回路２２の動作をロックする。そして、スイッチ素子３１ａ、３１ｂをオンオフ制御して、昇圧回路１４で昇圧された整流器１３からの直流電圧を高周波電圧に変換し、定電力で放電灯１７を高周波点灯する通常点灯動作を行う。すなわち、点灯制御部２７は定電力制御部３２によりインバータ回路１５の出力が定電力になるように、スイッチ素子３１ａ、３１ｂをオンオフ制御する。従って、通常時の放電灯１７の通常点灯状態では定電力特性を持った負荷特性となる。
【００２８】
一方、点灯制御部２７は、電源監視回路１９から交流電源１１の電圧が正常範囲を逸脱したことを入力すると、インバータ回路１５のスイッチ素子３１ａ、３１ｂのオンオフ動作（発振動作）を停止する。
【００２９】
図２は電源監視回路１９の動作特性の説明図である。電源監視回路１９は交流電源１１の電圧を監視しており、交流電源１１の電圧がしきい値Ｖ１以上であるときは正常範囲内である判断する。この場合、点灯制御部２７は放電灯１７を交流電源１１からの電力で点灯する（ＡＣ点灯）。そして、交流電源１１の電圧がしきい値Ｖ１未満となると、電源監視回路１９は交流電源１１の電圧が正常範囲を逸脱した判断する。点灯制御部２７は発振動作を停止し放電灯１７を不点灯状態とする（不点灯）。さらに、交流電源１１の電圧が所定値Ｖ２以下となると、電源監視回路１９は非常点灯動作を開始すべき状態であると判断すると、点灯制御部２７の動作を停止状態から非常点灯動作に切り替える。
【００３０】
ここで、通常点灯動作（ＡＣ点灯）と非常点灯動作（ＤＣ点灯）との間で、不点灯状態を持たせているのは、交流電源１１の電圧が通常点灯動作と非常点灯動作との境界で変動したときに、通常点灯動作と非常点灯動作とが頻繁に切り替わることを避けるためである。
【００３１】
また、点灯制御部２７は、電源監視回路１９から非常点灯動作すべき状態信号を入力すると、非常時調光回路３０のスイッチ素子Ｑ１をオフとするとともに非常用電源昇圧回路２２を動作させる。非常時調光回路３０のスイッチ素子Ｑ１をオフにより、非常時調光回路３０が有効となり調光制御が行われる。すなわち、昇圧回路１４の昇圧制御部２８の目標電圧が分圧抵抗の追加により低く設定されるので、昇圧回路１４の出力電圧が低くなる。
【００３２】
また、非常用電源昇圧回路２２の動作により、非常用電源昇圧回路２２からの電圧が昇圧回路１４の前段に入力され、昇圧回路１４により所定電圧に昇圧される。この場合、昇圧回路１４に入力される非常用電源昇圧回路２２の出力電圧が変動したとしても、昇圧回路１４で所定値に昇圧されるので、昇圧回路に出力電圧はほぼ一定となり、インバータ回路１５に入力される電圧はほぼ一定となる。
【００３３】
点灯制御部２７は、定電力制御部３２によりインバータ回路１５の出力が定電力になるように、スイッチ素子３１ａ、３１ｂをオンオフ制御するので、非常時の放電灯１７の非常点灯動作に対しても同様に定電力特性を持った負荷特性となる。インバータ回路１５の入力電圧はほぼ一定であるので、放電灯１７の光束をほぼ一定に保つことができ、建家の床面の照度をほぼ一定に保つことができる。
【００３４】
第１の実施の形態によれば、通常点灯時と非常点灯時とで放電灯を高周波点灯するインバータ回路を共用するので、回路構成を簡素化できる。また、通常時は定電力で放電灯を高周波点灯し、非常時には定電力で放電灯を調光点灯するので、一定の光束となるように放電灯を点灯できる。また、非常時には調光点灯するので放電灯を長時間に亘って非常点灯できる。
【００３５】
（第２の実施の形態）
図３は本発明の第２の実施の形態に係わる放電灯点灯装置の回路構成図である。この第２の実施の形態は、図１に示した第１の実施の形態に対し、非常時には定電力制御部３２の動作をロックするためのトランジスタＱ１、Ｑ２を設け、通常時は定電力で放電灯を高周波点灯する通常点灯動作を行い、非常時には定電流で放電灯を調光点灯する非常点灯動作を行うようにしたものである。図１と同一要素には同一符号を付し重複する説明は省略する。
【００３６】
図３において、定電力制御部３２の動作をロックするトランジスタＱ１、Ｑ２が設けられ、非常時にはこのトランジスタＱ２、Ｑ３が導通する。すなわち、電源監視回路１９は非常点灯動作を開始すべき状態であると判断すると、点灯制御部２７の動作を停止状態から非常点灯動作に切り替えるとともに、トランジスタＱ２、Ｑ３を導通し定電力制御部３２の動作をロックする。定電力制御部３２の動作のロックにより、点灯制御部２７の動作周波数が固定され、点灯制御部２７の点灯制御は、定電力による点灯制御に代えて定電流による点灯制御となる。例えば、点灯制御部２７の動作周波数は無負荷時共振周波数に設定され、定電流による点灯制御となる。
【００３７】
このように、非常時となったときは、トランジスタＱ２、Ｑ３を導通させ定電力制御部３２の動作をロックする。この定電力制御部３２の動作のロックにより、点灯制御部２７の動作周波数が例えば無負荷時共振周波数に固定され、点灯制御部２７の点灯制御は、定電力による点灯制御に代えて定電流による点灯制御となる。従って、ランプ電流の減少を防止できるので、放電灯１７が立ち消えすることがなくなる。
【００３８】
第２の実施の形態によれば、通常点灯時と非常点灯時とで放電灯を高周波点灯するインバータ回路を共用するので、回路構成を簡素化できる。また、通常時は定電力で放電灯を高周波点灯し、非常時には定電流で放電灯を高周波点灯するので、放電灯が高温となりランプ電圧が上昇しても一定のランプ電流を非常用電源から供給でき放電灯の点灯を維持できる。従って、放電灯が高温になっても立ち消えを防止できる。
【００３９】
（第３の実施の形態）
図４は本発明の第３の実施の形態に係わる放電灯点灯装置の回路構成図である。この第３の実施の形態は、図３に示した第２の実施の形態に対し、周囲温度を判定する温度検出手段３３を設け、放電灯１７の温度が所定温度以下では定電力で高周波点灯し、所定温度を超えると定電流で調光点灯するようにしたものである。図３と同一要素には、同一符号を付し重複する説明は省略する。
【００４０】
温度検出手段３３は、例えば非常用電源昇圧回路２２の近傍に設けられ、放電灯点灯装置（放電灯）の周囲温度を検出し点灯制御部２７に出力する。点灯制御部２７は温度検出手段３３で検出された温度が所定温度を超えているかどうかを判定する。放電灯１７の温度が所定値を超えるとランプ電圧は急激に上昇し、常用点灯動作により放電灯１７を定電力で点灯制御している場合には、ランプ電圧の上昇に伴いランプ電流が減少し、放電灯が立ち消えしてしまうことがある。そこで、放電灯の周囲温度が所定温度を超えると定電流で調光点灯する。
【００４１】
図５は放電灯のランプ電圧と温度との関係を示す特性曲線である。放電灯の温度が１２０℃を超えるとランプ電圧は急激に上昇する。この場合、常用点灯装置が放電灯を定電力で点灯制御している場合には、ランプ電圧の上昇に伴いランプ電流が減少し、放電灯が立ち消えしてしまうことがある。例えば、温度がＴ０以上となるとランプ電圧がＶ０以上となり、ランプ電流が減少して放電灯が立ち消えしてしまう。このように、火事等で放電灯が高温となったときに、非常用電源から電源が供給されていても放電灯が消灯してしまうことがある。
【００４２】
そこで、点灯制御部２７は温度検出手段３３で検出された温度検出信号を入力し、周囲温度が放電灯１７の立ち消えの起こらない所定温度未満であるときは、電源監視回路１９によるトランジスタＱ２、Ｑ３の導通を阻止し、定電力により放電灯を点灯制御する。一方、放電灯１７が立ち消えする所定温度以上となったときは、点灯制御部２７は電源監視回路１９によるトランジスタＱ２、Ｑ３の導通を許可し、定電流により放電灯を点灯制御する。従って、ランプ電流の減少を防止できるので、放電灯１７が立ち消えすることがなくなる。
【００４３】
所定温度を超えた場合の定電流制御の電流値については、立ち消えしない程度の最低電流値とする。もしくは、周囲温度が１４０℃以上であっても所定の照度を維持できる電流値をする。
【００４４】
以上の説明では、温度検出手段３３を非常用電源昇圧回路２２の近傍に設けたが、放電灯１７の近傍に設けて直接的に放電灯１７の温度を検出するようにしてもよい。
【００４５】
第３の実施の形態によれば、非常点灯時には、放電灯１７の立ち消えが起こらない所定温度までは定電力により放電灯１７を点灯制御するので、放電灯１７の負荷特性が定電力特性となり、複数定格の放電灯についてインバータ回路を共用できる。また、放電灯の立ち消えが起こると予想される所定温度以上となると定電流により放電灯を点灯制御するので、放電灯１７が立ち消えすることを防止できる。
【００４６】
（第４の実施の形態）
図６は本発明の第４の実施の形態に係わる放電灯点灯装置の回路構成図である。この第４の実施の形態は、図４に示した第３の実施の形態に対し、周囲温度を判定する温度検出手段３３に代えてランプ異常電圧検出回路３４を設け、放電灯の温度が所定温度を超えたか否かを放電灯のランプ電圧で判定するようにしたものである。図４と同一要素には、同一符号を付し重複する説明は省略する。
【００４７】
ランプ異常電圧検出回路３４は放電灯１７のランプ異常電圧を検出し、点灯制御部２７に入力される。通常運転時においては、点灯制御部２７は放電灯１７の異常電圧を入力すると、インバータ回路１５のスイッチ素子３１ａ、３１ｂの発振を停止する。これにより装置を保護する。
【００４８】
非常運転時においては、放電灯１７が立ち消えする異常電圧であるか否かを判定する。放電灯の立ち消えが起こらない異常電圧未満であるときは、電源監視回路１９によるトランジスタＱ２、Ｑ３の導通を阻止し、定電力により放電灯を点灯制御する。一方、放電灯１７が立ち消えする所定温度以上となったときは、点灯制御部２７は電源監視回路１９によるトランジスタＱ２、Ｑ３の導通を許可し、定電流により放電灯を点灯制御する。すなわち、点灯制御部２７の動作周波数が例えば無負荷時共振周波数に固定され、点灯制御部２７の点灯制御は、定電力による点灯制御に代えて定電流による点灯制御となる。従って、ランプ電流の減少を防止できるので、放電灯１７が立ち消えすることがなくなる。
【００４９】
第４の実施の形態によれば、第３の実施の形態に効果に加え、ランプ電圧の異常を検出するランプ電圧異常回路３４は、通常時のランプ異常電圧の検出に用いられるものであり、そのランプ電圧異常回路３４を温度検出手段としても兼用できるので、温度検出手段を追加して設ける必要がなく、回路構成を簡素化できる。
【図面の簡単な説明】
【００５０】
【図１】本発明の第１の実施の形態に係わる放電灯点灯装置の回路構成図。
【図２】本発明の第１の実施の形態における電源監視回路の動作特性の説明図。
【図３】本発明の第２の実施の形態における電源監視回路の動作特性の説明図。
【図４】本発明の第３の実施の形態に係わる放電灯点灯装置の回路構成図。
【図５】放電灯のランプ電圧と温度との関係を示す特性曲線。
【図６】本発明の第４の実施の形態に係わる放電灯点灯装置の回路構成図。
【符号の説明】
【００５１】
１１…交流電源、１２…雑防回路、１３…整流器、１４…昇圧回路、１５…インバータ回路、１６…負荷回路、１７…放電灯、１８…非常用電源充電回路、１９…電源監視回路、２０…充電回路、２１…非常用電源、２２…非常用電源昇圧回路、２３…壁切りスイッチ部、２４…スイッチ、２５…フォトダイオード、２６…フォトトランジスタ、２７…点灯制御部、２８…昇圧制御部、２９…スイッチ素子、３０…非常時調光回路、３１…スイッチ素子、３２…定電力制御部、３３…温度検出手段、３４…ランプ異常電圧検出回路
【図１】
2007059148.tif 000003
【図２】
2007059148.tif 000004
【図３】
2007059148.tif 000005
【図４】
2007059148.tif 000006
【図５】
2007059148.tif 000007
【図６】
2007059148.tif 000008